(57)【特許請求の範囲】
【請求項１】
内部に紙葉状の媒体を収納する収納空間を有する媒体収納庫であって、
前記収納空間の上方に配置された上方配置部材と、
液体噴射ノズルから液体を噴射する液体噴射機構とを有し、
前記液体噴射ノズルの液体噴射方向は、前記上方配置部材の下面の方向に設定されている
ことを特徴とする媒体収納庫。
【請求項２】
請求項１に記載の媒体収納庫において、
さらに、前記上方配置部材と前記収納空間との間に配置され、かつ、前記媒体の上下方向の位置を規制するアッパーガイドを有し、
前記液体噴射ノズルは、前記上方配置部材と前記アッパーガイドとの間で、かつ、前記収納空間の上方から外側に外れた位置に配置されている
ことを特徴とする媒体収納庫。
【請求項３】
請求項１又は請求項２に記載の媒体収納庫において、
前記液体噴射ノズルの液体噴射方向と前記上方配置部材の前記下面の少なくとも前記液体が噴射される部分との内角は、４５°以下に設定されている
ことを特徴とする媒体収納庫。
【請求項４】
請求項３に記載の媒体収納庫において、
前記上方配置部材の前記下面は、水平面と傾斜面とを備えており、
前記傾斜面は、前記液体噴射ノズルに近い側が遠い側よりも下方に下がる形状になっており、
前記液体噴射ノズルは、前記傾斜面に向けて前記液体を噴射する
ことを特徴とする媒体収納庫。
【請求項５】
請求項４に記載の媒体収納庫において、
前記液体噴射ノズルの液体噴射方向と前記水平面との内角は、４５°よりも大きく設定されているとともに、前記液体噴射ノズルの液体噴射方向と前記傾斜面との内角は、４５°以下に設定されている
ことを特徴とする媒体収納庫。
【請求項６】
請求項２に記載の媒体収納庫において、
前記アッパーガイドの下面は、前記媒体の上下方向の位置を規制する規制面と、規制面以外の非規制面とを備えており、
前記非規制面には、前記アッパーガイドの上面側に貫通する孔部が形成されている
ことを特徴とする媒体収納庫。
【請求項７】
請求項６に記載の媒体収納庫において、
前記孔部の縁部分は、面取り加工が施された形状である
ことを特徴とする媒体収納庫。
【請求項８】
請求項２に記載の媒体収納庫において、
前記アッパーガイドの下面は、前記媒体の上下方向の位置を規制する規制面と、規制面以外の非規制面とを備えており、
前記非規制面から前記アッパーガイドの側面に亘る部分又は前記アッパーガイドの側面には、前記アッパーガイドの上面側に貫通する開口部が形成されている
ことを特徴とする媒体収納庫。
【請求項９】
請求項１乃至請求項８のいずれか一項に記載の媒体収納庫において、
当該媒体収納庫の筺体は、上側を構成する上部材と下側を構成する下部材とに分離可能な構成になっており、
前記上部材の下面側には、基板と、基板を覆う基板カバーと、前記液体噴射ノズルが取り付けられている
ことを特徴とする媒体収納庫。
【請求項１０】
請求項９に記載の媒体収納庫において、
前記基板及び前記基板カバーは、前記上部材の下面の前記収納空間の上方に位置する部分に配置されており、
前記上部材の下面には、当該下面と前記基板カバーとの間を密封するリブが形成されている
ことを特徴とする媒体収納庫。
【請求項１１】
請求項１０に記載の媒体収納庫において、
前記基板カバーの露出面及び前記リブの露出面には、前記液体の落下を促すための傾斜面が形成されている
ことを特徴とする媒体収納庫。
【請求項１２】
請求項１乃至請求項１１のいずれか一項に記載の媒体収納庫において、
前記上方配置部材は、当該媒体収納庫の筺体の上側を構成する上部材である
ことを特徴とする媒体収納庫。
【請求項１３】
請求項１乃至請求項１１のいずれか一項に記載の媒体収納庫において、
前記上方配置部材は、当該媒体収納庫の筺体の上側を構成する上部材と前記収納空間との間に配置された介装部材である
ことを特徴とする媒体収納庫。
【請求項１４】
媒体を取り扱う媒体取扱装置であって、
請求項１乃至請求項１３のいずれか一項に記載の媒体収納庫を搭載する
ことを特徴とする媒体取扱装置。
【発明の詳細な説明】
【技術分野】
【０００１】
本発明は、破壊や盗難等の犯罪行為（非常事態）の発生時に、液体を噴射して媒体を汚損させる液体噴射機構を有する媒体収納庫、及び、当該媒体収納庫を搭載する媒体取扱装置に関する。
【背景技術】
【０００２】
従来、媒体を取り扱う媒体取扱装置の一種として、現金を取り扱う現金取扱装置がある。現金取扱装置には、現金取扱装置を破壊して、内部に収納されている媒体（紙幣）を盗む犯罪行為（非常事態）の発生時に、液体噴射ノズルから媒体（紙幣）に対して液体（インク）を噴射して媒体を汚損させる機能が付与されている。ここで、「汚損」とは、液体が媒体の内部に浸透している状態を意味している。この機能は、例えば、装置に搭載されている媒体収納庫に液体噴射機構を設けることによって実現している（例えば、特許文献１及び特許文献２参照）。
【０００３】
媒体収納庫は、内部に紙葉状の媒体を収納する箱型の収納庫である。媒体収納庫は、装置から取り外した状態で運搬することができるように、装置に対して取り付け及び取り外しが自在なカセットユニットとして構成されている場合が多い。
【０００４】
液体噴射機構は、仮に、前記した犯罪行為（非常事態）が発生することがあった場合に、媒体収納庫の内部に収納されている媒体を汚損させて、媒体を使用することが困難な状態にする。これによって、液体噴射機構は、盗まれた媒体が使用されることを防止する。また、液体噴射機構は、仮に、盗まれた媒体が使用されるようなことがあった場合に、盗まれた媒体が使用されたことを発見し易くするとともに、盗まれた媒体を使用した人物を特定し易くし、もって、前記した犯罪行為（非常事態）が再度発生することを抑止する。
【先行技術文献】
【特許文献】
【０００５】
【特許文献１】ＥＰ１２０９３１２
【特許文献２】特開２０１１−１４５９３９号公報
【発明の概要】
【発明が解決しようとする課題】
【０００６】
しかしながら、従来の媒体収納庫は、以下に説明するように、紙葉状の媒体を収納する収納空間の上方に配置される部材の配置可能な空間を増大させることが望まれている、という課題があった。
【０００７】
例えば、媒体収納庫の中には、液体噴射ノズルを、紙葉状の媒体（紙幣）を収納する収納空間の上方に配置し、液体噴射ノズルから媒体（紙幣）に対して液体を直接噴射させる構成になっているものがあった。このような構成の媒体収納庫は、後記する横型の媒体収納庫に多い。ただし、このような構成の媒体収納庫は、横型の媒体収納庫だけでなく、後記する縦型の媒体収納庫にも存在する。以下、このような構成の媒体収納庫を「従来の媒体収納庫」と称する。
【０００８】
ここで、「横型の媒体収納庫」とは、媒体（紙幣）の短手方向側辺（又は長手方向側辺）を上下方向に起立させた状態で、媒体（紙幣）を前後方向に重ねて収納する構成になっている媒体収納庫を意味している。また、「縦型の媒体収納庫」とは、媒体（紙幣）の紙面を上下方向に重ねて収納する構成になっている媒体収納庫を意味している。
【０００９】
なお、前記した構成の媒体収納庫が横型の媒体収納庫に多い理由は、横型の媒体収納庫が各媒体（紙幣）を起立させた状態で内部に収納しており、各媒体（紙幣）の上方から液体を噴射させると、液体が各媒体（紙幣）の紙面に沿って自重で下方向に流れてゆき、その結果、少ないインク量で各媒体（紙幣）を広範囲に効率よく汚損させることができるからである。
【００１０】
しかしながら、従来の媒体収納庫は、液体噴射ノズルが収納空間の上方に配置されている。そのため、従来の媒体収納庫は、収納空間の上方に配置される部材（例えば、アッパーガイド等）の配置可能な空間が液体噴射ノズルによって制限され易い構成になっていた。したがって、従来の媒体収納庫は、収納空間の上方に配置される部材の配置可能な空間を増大させることが望まれていた。
【００１１】
ここで、「アッパーガイド」とは、媒体の上下方向の位置を規制するガイド部材を意味している。アッパーガイドは、収納空間の内部に収納される媒体（紙幣）のサイズに応じて、上下方向の配置位置が適宜変更される構成になっている。アッパーガイドは、例えば、横型の媒体収納庫の内部に形成された収納空間の上方に配置されている。
【００１２】
ただし、収納空間の上方に配置される部材は、アッパーガイドに限らず、様々な部材（例えば、ローラ等）が想定され得る。そのため、このような課題は、横型の媒体収納庫に限らず、縦型の媒体収納庫にも関連する課題である。
【００１３】
本発明は、前記した課題を解決するためになされたものであり、紙葉状の媒体を収納する収納空間の上方に配置される部材（例えば、アッパーガイド等）の配置可能な空間を増大させた媒体収納庫、及び、当該媒体収納庫を搭載する媒体取扱装置を提供することを主な目的とする。
【課題を解決するための手段】
【００１４】
前記目的を達成するため、第１発明は、内部に紙葉状の媒体を収納する収納空間を有する媒体収納庫であって、前記収納空間の上方に配置された上方配置部材と、液体噴射ノズルから液体を噴射する液体噴射機構とを有し、前記液体噴射ノズルの液体噴射方向は、前記上方配置部材の下面の方向に設定されている構成とする。
【００１５】
この媒体収納庫は、液体噴射ノズルから媒体に対して液体を直接噴射させずに、上方配置部材の下面に向けて噴射する構成になっている。この媒体収納庫では、液体は、上方配置部材の下面に向けて噴射されると、下面に沿って流れた後に、下面から収納空間の内部に落下する。これによって、この媒体収納庫は、収納空間の内部に収納された媒体に液体を付着させる。この媒体収納庫では、液体噴射ノズルが収納空間の上方に配置されていない。そのため、液体噴射ノズルが収納空間の上方に配置される部材（例えば、アッパーガイド等）の配置可能な空間を制限することがない。したがって、この媒体収納庫は、収納空間の上方に比較的広い空間を確保することができ、収納空間の上方に配置される部材（例えば、アッパーガイド等）の配置可能な空間を増大させることができる。
【００１６】
また、第２発明は、媒体を取り扱う媒体取扱装置であって、第１発明に係る媒体収納庫を搭載する構成とする。
【発明の効果】
【００１７】
第１発明によれば、紙葉状の媒体を収納する収納空間の上方に配置される部材の配置可能な空間を増大させた媒体収納庫を提供することができる。
また、第２発明によれば、第１発明に係る媒体収納庫を搭載する媒体取扱装置提供することができる。
【図面の簡単な説明】
【００１８】
【図１】実施形態１に係る媒体収納庫を搭載する媒体取扱装置の構成を示す図である。
【図２】実施形態１に係る媒体収納庫の外部の構成を示す図である。
【図３】実施形態１に係る媒体収納庫の筺体の下側を構成する容器部の構成を示す図である。
【図４】実施形態１に係る媒体収納庫の筺体の上側を構成する蓋部の構成を示す図である。
【図５】実施形態１に係る媒体収納庫で用いるアッパーガイドの構成を示す図である。
【図６】実施形態１に係る媒体収納庫で用いる液体噴射機構の構成を示す図である。
【図７】実施形態１に係る媒体収納庫の内部の構成を示す図である。
【図８】実施形態１に係る媒体収納庫の液体噴射機構の作動時の動作を示す説明図である。
【図９】実施形態２に係る媒体収納庫の内部の構成を示す図である。
【図１０】実施形態２に係る媒体収納庫の主要部の構成を示す図である。
【図１１】第１変形例に係る媒体収納庫の構成を示す図である。
【図１２】第２変形例に係る媒体収納庫の構成を示す図である。
【図１３】第３変形例に係る媒体収納庫の構成を示す図である。
【発明を実施するための形態】
【００１９】
以下、図面を参照して、本発明の実施の形態（以下、「本実施形態」と称する）につき詳細に説明する。なお、各図は、本発明を十分に理解できる程度に、概略的に示してあるに過ぎない。よって、本発明は、図示例のみに限定されるものではない。また、各図において、共通する構成要素や同様な構成要素については、同一の符号を付し、それらの重複する説明を省略する。
【００２０】
［実施形態１］
以下、本実施形態１につき、（１）媒体収納庫を搭載する媒体取扱装置の構成、（２）媒体収納庫の外部構成、（３）媒体収納庫の筺体の下側を構成する容器部の構成、（４）媒体収納庫の筺体の上側を構成する蓋部の構成、（５）媒体収納庫で用いるアッパーガイドの構成、（６）媒体収納庫で用いる液体噴射機構の構成、（７）媒体収納庫の内部の配置構成、（８）媒体収納庫の液体噴射機構の作動時の動作、及び、（９）媒体収納庫の主な特徴の順で説明する。
【００２１】
（１）媒体収納庫を搭載する媒体取扱装置の構成
以下、図１を参照して、本実施形態１に係る媒体収納庫１１を搭載する媒体取扱装置１の構成につき説明する。図１は、媒体取扱装置１の構成を示す図である。
【００２２】
媒体取扱装置１は、例えば、キャッシュディスペンサ（ＣＤ）や現金自動預け払い機（ＡＴＭ）等である。ここでは、媒体取扱装置１がキャッシュディスペンサ（ＣＤ）である場合を想定して説明する。また、媒体が紙幣であるものとして説明する。
【００２３】
また、図１に示す「前」、「後」、「右」、及び、「左」の各方向は、媒体取扱装置１を操作する作業者が媒体取扱装置１を見たときの方向を意味している。また、以下、「右」側に配置された構成要素と「左」側に配置された構成要素とを区別する場合に、各構成要素に与えられた符号の末尾に、「右」側を表す英文字「Ｒ」、又は、「左」側を表す英文字英文字「「Ｌ」を付して説明する。
【００２４】
図１に示すように、媒体取扱装置１は、紙幣を収納する収納ユニット２、及び、紙幣の束を搬送する束搬送ユニット３を有している。収納ユニット２は、搬送路８、媒体収納庫１１、鑑別部１２、集積部１３、リジェクト収納庫１５、取り込み収納庫１６、出金口１７、及び、シャッタ１８を備えている。また、束搬送ユニット３は、搬送機構４として、上ベルト５ａ、下ベルト５ｂ、ラッセル板６、及び、可動搬送ガイド７を備えている。
【００２５】
搬送路８は、紙幣が搬送される通路である。搬送路８の周囲には、紙幣を搬送する搬送機構（図示せず）が配置されている。
媒体収納庫１１は、紙幣を収納する収納庫である。
鑑別部１２は、紙幣の金種や枚数、出金の可否等を鑑別する装置である。
集積部１３は、媒体収納庫１１から搬送された紙幣を集積する部位である。
リジェクト収納庫１５は、媒体収納庫１１から搬送された紙幣が鑑別部１２で出金に適さないと鑑別された紙幣（リジェクト紙幣）を収納する収納庫である。
取り込み収納庫１６は、出金口１７に一定時間以上取り残されている紙幣を収納する収納庫である。
出金口１７は、紙幣が媒体取扱装置１の外部へ放出される部位である。
シャッタ１８は、出金口１７を選択的に開放又は閉鎖する部材である。
【００２６】
上ベルト５ａ及び下ベルト５ｂは、紙幣を上下方向から挟み込んで搬送する部材である。
ラッセル板６は、紙幣の後端よりも後方の位置から前方向に移動することによって、紙幣を前方向に押圧する部材である。
可動搬送ガイド７は、前後方向に移動することによって、集積部１３の上方に設けられた開口部１３ｏｐと取り込み収納庫１６の上方に設けられた開口部１６ｏｐとを選択的に開放又は閉鎖する部材である。
【００２７】
媒体取扱装置１は、紙幣の搬送ルートとして、出金ルート２１、リジェクトルート２２、集積ルート２３、放出ルート２４、及び、取り込みルート２９を備えている。
出金ルート２１は、各媒体収納庫１１から出金口１７までを結ぶルートである。
リジェクトルート２２は、集積部１３とリジェクト収納庫１５との間の位置からリジェクト収納庫１５までを結ぶルートである。
集積ルート２３は、集積部１３とリジェクト収納庫１５との間の位置から集積部１３までを結ぶルートである。
放出ルート２４は、上ベルト５ａと下ベルト５ｂとの間の位置から出金口１７までを結ぶルートである。
取り込みルート２９は、出金口１７から取り込み収納庫１６までを結ぶルートである。
【００２８】
本実施形態１では、媒体取扱装置１は、４つの媒体収納庫１１を搭載している。以下、４つの媒体収納庫１１を区別する場合に、上から順番に、「媒体収納庫１１ａ，１１ｂ，１１ｃ，１１ｄ」と称する。
【００２９】
ここでは、媒体収納庫１１が横型の媒体収納庫（すなわち、紙幣の短手方向側辺（又は長手方向側辺）を上下方向に起立させた状態で、紙幣を前後方向に重ねて収納する構成になっている媒体収納庫）である場合を想定して説明する。
【００３０】
また、本実施形態１では、リジェクト収納庫１５及び取り込み収納庫１６は、単一の収納庫によって構成されている。つまり、媒体取扱装置１は、単一の収納庫の内部を２つの空間に分割し、一方の空間をリジェクト収納庫１５とし、他方の空間を取り込み収納庫１６として用いている。
【００３１】
また、本実施形態１では、集積部１３及びリジェクト収納庫１５は、隣接して配置されている。搬送路８は、最下段の媒体収納庫１１ｄの後方の位置から、媒体収納庫１１ｃ，１１ｂ，１１ａの後方、及び、鑑別部１２の内部を通って、集積部１３とリジェクト収納庫１５との間の位置に達するように形成されている。搬送路８は、集積部１３とリジェクト収納庫１５との間の位置で集積部１３側とリジェクト収納庫１５側とに分岐している。
【００３２】
また、上ベルト５ａ及び下ベルト５ｂは、図示せぬ駆動機構によって駆動されて走行する。同様に、ラッセル板６及び可動搬送ガイド７も、図示せぬ駆動機構によって駆動されて移動する。これらの部材を駆動する駆動機構の駆動源は、同一のものであってもよいし、異なるものであってもよい。
【００３３】
上ベルト５ａ及び可動搬送ガイド７は、上下方向に対向配置されており、互いの対向部分が密着するように配置されている。また、上ベルト５ａ及び下ベルト５ｂは、上下方向に対向配置されており、互いの対向部分が密着するように配置されている。一方、ラッセル板６及び可動搬送ガイド７は、ラッセル板６又は可動搬送ガイド７が移動しても互いに衝突しないように、互いを避ける形状に形成されている。
【００３４】
上ベルト５ａの長さは、可動搬送ガイド７と下ベルト５ｂとの合計の長さよりも長くなっている。上ベルト５ａは、媒体取引装置１の前端付近と後端付近とに設けられた一組のローラ対によって張架されている。上ベルト５ａを張架するローラ対のいずれか一方のローラは、回転駆動して上ベルト５ａを走行させる駆動ローラとなっており、また、他方のローラは、上ベルト５ａの走行に従動して回転する従動ローラとなっている。一方、下ベルト５ｂは、媒体取引装置１の前端付近と開口部１６ｏｐの手前付近とに設けられた一組のローラ対によって張架されている。ここでは、下ベルト５ｂを張架するローラ対のいずれか一方のローラが駆動ローラとなっており、他方のローラが従動ローラとなっている場合を想定して説明する。ただし、下ベルト５ｂを張架するローラ対の双方のローラは従動ローラにしてもよい。
【００３５】
かかる構成において、媒体取扱装置１は、出金時に、以下のように動作する。
まず、媒体取扱装置１は、操作者からの指示に応じて、任意の金種の紙幣を該当金種の媒体収納庫１１の中から搬送路８に順次繰り出し、繰り出した紙幣を鑑別部１２で鑑別しながら、出金ルート２１に沿って、集積部１３とリジェクト収納庫１５との間の位置まで搬送する。
【００３６】
この後、媒体取扱装置１は、鑑別部１２で出金に適さないと鑑別された紙幣（リジェクト紙幣）を、リジェクトルート２２に沿ってリジェクト収納庫１５側に搬送して、リジェクト収納庫１５の内部に収納する。また、媒体取扱装置１は、鑑別部１２で出金してもよいと鑑別された紙幣を、集積ルート２３に沿って集積部１３側に搬送して、集積部１３の内部に収納する。
【００３７】
集積部１３の内部には、紙幣が集積されるステージ１４が配置されている。媒体取扱装置１は、任意の枚数の紙幣の束が集積されると、ステージ１４を上昇させる。このとき、可動搬送ガイド７は、ステージ１４の上昇に合わせて開口部１３ｏｐを開放する位置に移動する。また、ラッセル板６は、紙幣に衝突しない位置に退避している。
【００３８】
媒体取扱装置１は、ステージ１４を上昇させると、紙幣の後端よりも後方に位置させておいたラッセル板６を、ステージ１４の上に集積されている紙幣の束が前方向に移動するように、上ベルト５ａ及び下ベルト５ｂを走行させるとともに、ラッセル板６を紙幣の後端よりも後方の位置から前方向に移動させる。これにより、媒体取扱装置１は、ラッセル板６で紙幣の束を前方向に押圧しながら、上ベルト５ａ及び下ベルト５ｂで紙幣の束を放出ルート２４に沿って前方向に搬送する。
【００３９】
このとき、紙幣の束は、ステージ１４の上から可動搬送ガイド７の上に移動する。そして、紙幣の束は、上ベルト５ａと可動搬送ガイド７との間を通過した後、上ベルト５ａと下ベルト５ｂとの間を通過して、出金口１７の近傍の位置まで搬送される。
【００４０】
媒体取扱装置１は、紙幣の束を出金口１７の近傍の位置まで搬送すると、シャッタ１８を開放するとともに、上ベルト５ａ及び下ベルト５ｂを走行させる。これにより、媒体取扱装置１は、紙幣の束を前方向に搬送する。その結果、紙幣の束の一部分が、出金口１７から外に突出した状態になる。これにより、顧客は、媒体取扱装置１から紙幣の束を受け取ることができる。
【００４１】
媒体取扱装置１は、顧客が紙幣の束を受け取ったことを検知すると、シャッタ１８を閉鎖して、次の取引に対応可能な状態になる。
ただし、媒体取扱装置１は、顧客が紙幣の束を受け取らずに、紙幣の束が出金口１７に一定時間以上取り残されたときに、可動搬送ガイド７を後方に移動させて、開口部１６ｏｐを開放させるとともに、紙幣の束が後方向に移動するように、上ベルト５ａ及び下ベルト５ｂを走行させる。これにより、媒体取扱装置１は、取り込みルート２９に沿って、紙幣の束を装置の内部に取り込み、取り込まれた紙幣を取り込み収納庫１６の内部に収納する。この後、媒体取扱装置１は、シャッタ１８を閉鎖して、次の取引に対応可能な状態になる。
【００４２】
かかる構成において、媒体取扱装置１は、媒体収納庫１１に対する不正行為を防止するために、頑丈な部材で媒体収納庫１１の周囲を覆っている。しかしながら、それでも、媒体取扱装置１が破壊されて、媒体収納庫１１が盗まれてしまう可能性がある。そこで、媒体収納庫１１には、液体噴射機構５０（図４、図６（ａ）参照）が設けられている。ここでは、液体がインクである場合を想定して説明する。以下、液体を「インク」と称する。
【００４３】
液体噴射機構５０（図４、図６（ａ）参照）は、媒体取扱装置１が破壊される等の犯罪行為（非常事態）の発生を検知すると、媒体収納庫１１の内部に収納されている媒体（ここでは、紙幣）に対してインクを噴射して媒体を汚損させる機構である。液体噴射機構５０は、非常事態の発生時に、媒体を汚損させることによって、媒体を使用することが困難な状態にする。これにより、液体噴射機構５０は、盗まれた媒体が使用されることを防止する。また、液体噴射機構５０は、仮に、盗まれた媒体が使用されるようなことがあった場合に、盗まれた媒体が使用されたことを発見し易くするとともに、盗まれた媒体を使用した人物を特定し易くし、もって、前記した犯罪行為（非常事態）が再度発生することを抑止する。
【００４４】
（２）媒体収納庫の外部の構成
以下、図２を参照して、媒体収納庫１１の外部の構成につき説明する。図２は、媒体収納庫１１の外部の構成を示す図である。媒体収納庫１１は、内部に紙葉状の媒体（ここでは、紙幣）を収納する箱型の収納庫である。
【００４５】
図２に示すように、媒体収納庫１１の筺体３１は、箱状に形成されている。その筺体３１は、蓋部３２と容器部３３とを備えている。蓋部３２は、筺体３１の上側を構成する上部材であり、容器部３３の上部分を覆っている。容器部３３は、筺体３１の下側を構成する下部材であり、内部に媒体（ここでは、紙幣）を収容している。
【００４６】
蓋部３２は、回動支点３６によって回動自在に容器部３３に取り付けられている。蓋部３２は、回動支点３６を中心にして、矢印Ａ１の方向に回動することにより開き、また、矢印Ａ２の方向に回動することにより閉じる。筺体３１は、好ましくは、上部材としての蓋部３２と、下部材としての容器部３３とに、分離可能な構成になっているとよい。本実施形態１では、蓋部３２は、インクを弾く性質を有する材料によって構成されている。
【００４７】
図２に示す例では、媒体収納庫１１は、前面に、取っ手３４、及び、鍵穴３５を備えている。取っ手３４は、作業者によって把持される部位である。鍵穴３５は、蓋部３２を回動不能に施錠する図示せぬ施錠部を解錠するための鍵を差し込む穴である。
【００４８】
（３）媒体収納庫の筺体の下側を構成する容器部の構成
以下、図３を参照して、容器部３３の構成につき説明する。図３は、容器部３３の構成を示す図である。
【００４９】
図３に示すように、容器部３３は、紙幣９の短手方向側辺を上下方向に起立させた状態で、多数枚の紙幣９を前後方向に重ねて収納する構成になっている。容器部３３は、内部に、押板３７を備えている。押板３７は、紙幣９を矢印Ｂ１の方向に押圧する板状の部材である。押板３７は、紙幣９の前方に配置されており、図示せぬ付勢部材によって矢印Ｂ１の方向に付勢されている。矢印Ｂ１の方向には、図示せぬ分離部が配置されている。分離部は、出金時に、多数枚の紙幣９を１枚ずつに分離し、図示せぬ開口部を介して各紙幣９を搬送路８（図１参照）に繰り出す。
【００５０】
なお、図３には示されていないが、容器部３３は、内部に、サイドガイド４８（図７参照）、及び、ロアガイド４９（図７参照）を備えている。本実施形態１では、２つのサイドガイド４８Ｒ，４８Ｌが媒体収納庫１１のセンタＣＬ（図７参照）の右側と左側とに配置されている。サイドガイド４８及びロアガイド４９の詳細については、後記する「（７）媒体収納庫の内部の構成」の章で説明する。
【００５１】
（４）媒体収納庫の筺体の上側を構成する蓋部の構成
以下、図４を参照して、蓋部３２の構成につき説明する。図４は、下面３２ａ側から見た蓋部３２の構成を示す図である。
【００５２】
図４に示すように、蓋部３２は、下面３２ａに、アッパーガイド４１を備えている。アッパーガイド４１は、収納空間ＳＰ（図７参照）の上方に配置され、かつ、紙幣９の上下方向の位置を規定するガイド部材である。アッパーガイド４１の詳細については、後記する「（５）媒体収納庫で用いるアッパーガイドの構成」の章で説明する。
【００５３】
また、蓋部３２は、下面３２ａに、前記した液体噴射機構５０を備えている。液体噴射機構５０は、液体噴射ノズル５１、及び、液体タンク５２を備えている。液体噴射ノズル５１は、インクを噴射する部材である。液体タンク５２は、インクを予め貯蔵する容器である。液体噴射ノズル５１は、液体タンク５２よりも収納空間ＳＰ（図７参照）に近い側に配置されている。本実施形態１では、２つの液体噴射機構５０Ｒ，５０Ｌが収納空間ＳＰ（図７参照）の上方から右側に外れた位置と左側に外れた位置とに配置されている。右側の液体噴射機構５０Ｒと左側の液体噴射機構５０Ｌとは、左右を逆にした構成になっている。液体噴射機構５０の詳細については、後記する「（６）媒体収納庫で用いる液体噴射機構の構成」の章で説明する。
【００５４】
（５）媒体収納庫で用いるアッパーガイドの構成
以下、図５を参照して、アッパーガイド４１の構成につき説明する。図５は、アッパーガイド４１の構成を示す図である。図５（ａ）は、アッパーガイド４１の下面側の形状を示している。また、図５（ｂ）は、アッパーガイド４１を図５（ａ）に示すＸ２−Ｘ２線に沿って切断して得られる断面の形状を示している。
【００５５】
図５（ａ）に示すように、アッパーガイド４１は、一定以上の強度を確保して、収納空間ＳＰの内部に収納された紙幣９の上下方向に位置を規制することができるように、側面部分が下面部分から上方向に折り曲げられた形状になっている。
【００５６】
また、アッパーガイド４１の下面は、平坦面４２と平坦面４３とが段差状に交互に形成された形状になっている。平坦面４２は、平坦面４３よりも下方に突出している。平坦面４２は、収納空間ＳＰ（図７参照）の内部に収納された紙幣９の上下方向の位置を規制する規制面として機能する。一方、平坦面４３は、紙幣９の上下方向の位置の規制には関与しない面となっている。以下、平坦面４２を「規制面４２」と称し、平坦面４３を「非規制面４３」と称する。非規制面４３には、アッパーガイド４１の上面側に貫通する複数の孔部４４が形成されている。各孔部４４は、アッパーガイド４１の上面に溜まったインクを下側に流して、収納空間ＳＰ（図７参照）の内部に収納された紙幣９の上に落下させる流路として機能する。
【００５７】
図５（ｂ）に示すように、アッパーガイド４１の上面側の孔部４４の縁部分には、面取り加工部４５が形成されている。つまり、孔部４４の縁部分には、面取り加工により孔部４４に向かって傾斜する傾斜面が形成されている。これにより、アッパーガイド４１は、上面に溜まったインクの下側への流れを促す構成になっている。
【００５８】
（６）媒体収納庫で用いる液体噴射機構の構成
以下、図６を参照して、液体噴射機構５０の構成につき説明する。図６は、液体噴射機構５０の構成を示す図である。図６（ａ）は、右斜め上方向から見た左側の液体噴射機構５０Ｌの構成を示している。また、図６（ｂ）は、正面方向から見た左側の液体噴射機構５０Ｌの構成を示している。また、図６（ｃ）は、左側の液体噴射ノズル５１Ｌに形成された潰し加工部６４と液体噴射孔６５との配置関係を示している。
【００５９】
図６（ａ）に示すように、液体噴射ノズル５１は、長尺な円筒状の胴体部６１を備えている。胴体部６１は、後記するルートブロック５６側から順に、流入部６２、中空部６３、及び、潰し加工部６４に大別される。
流入部６２は、後記するルートブロック５６に連結されており、インクがルートブロック５６側から流入する部分である。
中空部６３は、中空状に形成されており、インクがその内部を流動する部分である。中空部６３には、内部から外部に貫通するように、複数の液体噴射孔６５が列状に形成されている。液体噴射ノズル５１は、各液体噴射孔６５からインクを外部に向けて噴射する。
潰し加工部６４は、平板状になるように、潰し加工が施された部分である。潰し加工部６４は、インクが外部に漏れないように密封された構造になっている。潰し加工部６４は、後記する固定面６６（図６（ｃ）参照）に密着する。
【００６０】
一方、液体タンク５２は、収納部５３、液体押出板５４、圧力発生部（ガス発生器）５５、ルートブロック５６、及び、噴射弁５７を備えている。
収納部５３は、内部にインクを予め収納している構成要素である。
液体押出板５４は、液体噴射機構５０の作動時に、圧力発生部５５側から押圧を受けることによって収納部５３側に移動して、収納部５３を噴射弁５７側に押し潰す板状の部材である。
圧力発生部５５は、液体噴射機構５０の作動時に、液体押出板５４を収納部５３側に押圧する構成要素である。圧力発生部５５は、例えば、ガス発生器によって構成されている。
ルートブロック５６は、液体タンク５２と液体噴射ノズル５１とを連結する部材である。
噴射弁５７は、液体噴射機構５０の非作動時に、インクを収納部５３の内部に封止するとともに、液体噴射機構５０の作動時に、インクをルートブロック５６側に流入させる弁である。
【００６１】
噴射弁５７は、液体タンク５２とルートブロック５６との間に配置されている。噴射弁５７は、可撓性の材料によって構成されている。噴射弁５７は、液体噴射機構５０の非作動時に、収納部５３側に突出した形状になっている。しかしながら、噴射弁５７は、液体噴射機構５０が作動すると、圧力発生部５５側からの押圧を受けることによって変形して、ルートブロック５６側に突出した形状になる。
【００６２】
図６（ｂ）に示すように、液体噴射ノズル５１は、液体タンク５２の側方に配置されている。また、図６（ｃ）に示すように、液体噴射ノズル５１の潰し加工部６４には、固定孔６７が形成されている。固定孔６７は、蓋部３２の下面３２ａ（図４参照）側に形成された固定面６６と潰し加工部６４とを図示せぬ締結部材で固定するための孔である。固定面６６は、潰し加工部６４を当接させて液体噴射ノズル５１を固定するための面である。固定面６６は、平坦面状に形成されている。ここでは、媒体収納庫１１が媒体取扱装置１に搭載されたときに、固定面６６が略水平になるように形成されているものとして説明する。
【００６３】
液体噴射ノズル５１の各液体噴射孔６５は、一律に、液体噴射ノズル５１の中心点を中心にして、液体噴射ノズル５１の中心点を通る水平面から一定の角度θ６５だけ斜め上方となる、中空部６３の壁面部分に形成されている。
【００６４】
（７）媒体収納庫の内部の構成
以下、図７を参照して、媒体収納庫１１の内部の構成につき説明する。図７は、媒体収納庫１１の内部の構成を示す図である。図７は、媒体収納庫１１の筺体３１を図２に示すＸ１−Ｘ１線に沿って切断して得られる断面の形状を示している。本実施形態１では、媒体収納庫１１は、液体噴射ノズル５１から紙幣９に対してインクを直接噴射させずに、収納空間ＳＰの上方に配置された部材（以下、「上方配置部材」と称する）の下面に向けて噴射する構成になっている。ここでは、「上方配置部材」が「蓋部３２」であり、また、「上方配置部材の下面」が「蓋部３２の下面３２ａ」である場合を想定して説明する。また、蓋部３２の下面３２ａの形状が全体的に平坦な水平面になっている（特に、下面３２ａの少なくともインクが噴射される部分の形状が平坦な水平面になっている）ものとして説明する。
【００６５】
図７に示すように、媒体収納庫１１の内部は、媒体収納庫１１のセンタＣＬを中心にして、左右対称な構成になっている。媒体収納庫１１は、前記したアッパーガイド４１、スタッド４７、サイドガイド４８、ロアガイド４９、及び、前記した液体噴射機構５０を備えている。
【００６６】
スタッド４７は、アッパーガイド４１を蓋部３２の下面３２ａに取り付けるための部材である。
サイドガイド４８は、紙幣９（図８参照）が収納される収納空間ＳＰの横に配置され、かつ、収納空間ＳＰの内部に収納される紙幣９（図８参照）の左右方向の位置を規定するガイド部材である。
ロアガイド４９は、収納空間ＳＰの底に配置され、かつ、収納空間ＳＰの内部に収納される紙幣９（図８参照）を下から支持するガイド部材である。
【００６７】
本実施形態１では、ロアガイド４９は、媒体収納庫１１の内側の底面から任意の高さＬ１の位置に配置されている。そして、２つのサイドガイド４８Ｒ，４８Ｌがロアガイド４９の上面側に配置されている。右側のサイドガイド４８Ｒは、図示せぬ取り付け機構によって左右方向（矢印Ａ４８Ｒの方向）に位置を変更可能な状態でロアガイド４９の上面側に取り付けられている。同様に、左側のサイドガイド４８Ｌも、図示せぬ取り付け機構によって左右方向（矢印Ａ４８Ｌの方向）に位置を変更可能な状態でロアガイド４９の上面側に取り付けられている。
【００６８】
また、媒体収納庫１１の内部の収納空間ＳＰの上方には、アッパーガイド４１を上下方向（矢印Ａ４１の方向）に配置可能な空間が確保されている。媒体収納庫１１は、収納空間ＳＰの内部に収納される紙幣９のサイズに応じて、異なる長さのスタッド４７を用いることにより、アッパーガイド４１の上下方向の位置を適宜変更することができる。つまり、スタッド４７は、長さの異なる複数種類のものが予め用意されている。スタッド４７は、収納空間ＳＰの内部に収納される紙幣９のサイズに応じた長さのものが用いられる。これにより、スタッド４７は、アッパーガイド４１の上下方向（矢印Ａ４１の方向）の位置を調整する調整部材として機能する。
【００６９】
媒体収納庫１１は、収納空間ＳＰの内部に収納される紙幣９（図８参照）のサイズに合わせて、アッパーガイド４１、及び、２つのサイドガイド４８Ｒ，４８Ｌの位置が調整される。
【００７０】
収納空間ＳＰｍａｘは、最大サイズ媒体のサイズに合わせて、アッパーガイド４１、及び、２つのサイドガイド４８Ｒ，４８Ｌの位置を調整したときの空間である。以下、収納空間ＳＰｍａｘを「最大サイズ媒体収納空間ＳＰｍａｘ」と称する。ここで、「最大サイズ媒体」とは、使用することが予測される、長手方向（又は短手方向）のサイズが最大の媒体を意味している。
【００７１】
また、収納空間ＳＰｍｉｎは、最小サイズ媒体のサイズに合わせて、アッパーガイド４１、及び、２つのサイドガイド４８Ｒ，４８Ｌの位置を調整したときの空間である。以下、収納空間ＳＰｍｉｎを「最小サイズ媒体収納空間ＳＰｍｉｎ」と称する。ここで、「最小サイズ媒体」とは、使用することが予測される、長手方向（又は短手方向）のサイズが最小の媒体を意味している。
【００７２】
「最大サイズ媒体収納空間ＳＰｍａｘ」の大きさは、最大サイズ媒体の長手方向のサイズＷ９ｍａｘと短手方向のサイズＨ９ｍａｘとに対し、長手方向に（Ｗ９ｍａｘ＋α）（ｍｍ）で、かつ、短手方向に（Ｈ９ｍａｘ＋β）（ｍｍ）の大きさになっている。
ここで、「α」及び「β」は、運用に応じて適宜設定される任意の値である。
【００７３】
一方、「最小サイズ媒体収納空間ＳＰｍｉｎ」の大きさは、最小サイズ媒体の長手方向のサイズＷ９ｍｉｎと短手方向のサイズＨ９ｍｉｎとに対し、長手方向に（Ｗ９ｍｉｎ＋α）（ｍｍ）で、かつ、短手方向に（Ｈ９ｍｉｎ＋β）（ｍｍ）の大きさになっている。
【００７４】
媒体収納庫１１は、液体噴射ノズル５１が上方配置部材とアッパーガイド４１との間で、かつ、収納空間ＳＰ（ここでは、最大サイズ媒体収納空間ＳＰｍａｘ）の上方から外側に外れた位置に配置された構成になっている。また、媒体収納庫１１は、液体噴射ノズル５１の液体噴射方向（具体的には、噴射の中心方向ＤＩＬｑ（図８参照））が上方配置部材の下面の方向に設定された構成になっている。
【００７５】
具体的には、右側の液体噴射ノズル５１Ｒは、蓋部３２の下面３２ａとアッパーガイド４１との間で、かつ、収納空間ＳＰ（ここでは、最大サイズ媒体収納空間ＳＰｍａｘ）の上方から右側に外れた位置に配置されている。そして、右側の液体噴射ノズル５１Ｒの噴射の中心方向ＤＩＬｑ（図８参照）は、蓋部３２の下面３２ａの方向に設定されている。
【００７６】
また、左側の液体噴射ノズル５１Ｌは、蓋部３２の下面３２ａとアッパーガイド４１との間で、かつ、収納空間ＳＰ（ここでは、最大サイズ媒体収納空間ＳＰｍａｘ）の上方から左側に外れた位置に配置されている。そして、左側の液体噴射ノズル５１Ｌの噴射の中心方向ＤＩＬｑ（図８参照）は、蓋部３２の下面３２ａの方向に設定されている。
【００７７】
このような液体噴射ノズル５１Ｒ，５１Ｌは、それぞれ、蓋部３２の下面３２ａに対して、斜め下方向からインクを噴射する。
【００７８】
（８）媒体収納庫の液体噴射機構の作動時の動作
以下、図４及び図８を参照して、媒体収納庫１１の液体噴射機構５０の作動時の動作につき説明する。図８は、媒体収納庫１１の液体噴射機構５０の作動時の動作を示す説明図である。
【００７９】
液体噴射機構５０の作動時において、まず、圧力発生部５５（図４参照）が、液体押出板５４を収納部５３側に押圧する。液体押出板５４は、圧力発生部５５側から押圧を受けることによって収納部５３側に移動して、収納部５３を噴射弁５７側に押し潰す。
【００８０】
このとき、噴射弁５７は、収納部５３側に突出した形状からルートブロック５６側に突出した形状に変形する。これにより、インクは、収納部５３からルートブロック５６に流れ込み、さらに、ルートブロック５６に連結されている液体噴射ノズル５１に流れ込む。そして、インクは、液体噴射ノズル５１の液体噴射孔６５から蓋部３２の下面３２ａに向けて噴射される（図８参照）。図８に示す矢印Ａｌｑは、インクの流れを示している。
【００８１】
右側の液体噴射ノズル５１Ｒと左側の液体噴射ノズル５１Ｌとは、ほぼ同じタイミングでインクを噴射する。２つの液体噴射ノズル５１Ｒ，５１Ｌから噴射されたインクは、それぞれ、蓋部３２の下面３２ａに当たり、下面３２ａに沿って媒体収納庫１１のセンタＣＬの方向に流れる。その結果、右側の液体噴射ノズル５１Ｒから噴射されたインクの流れと左側の液体噴射ノズル５１Ｌから噴射されたインクの流れとが媒体収納庫１１のセンタＣＬ付近で衝突する。すると、インクは、自重で下面３２ａから収納空間ＳＰの内部に落下する。これによって、媒体収納庫１１は、収納空間ＳＰの内部に収納された各紙幣９にインクを付着させる。
【００８２】
なお、実験によれば、液体噴射ノズル５１の噴射の中心方向ＤＩＬｑと蓋部３２の下面３２ａの少なくともインクが噴射される部分との内角θ１が４５°以下に設定されている場合に、インクがセンタＣＬの方向に良好に流れることが確認されている。したがって、内角θ１は、好ましくは、４５°以下に設定されているとよい。ただし、内角θ１は、任意の角度の許容誤差を含む値（例えば、許容誤差を１０°とする場合に、５５°以下の値）であってもよい。
【００８３】
（９）媒体収納庫の主な特徴
以下、媒体収納庫１１の主な特徴につき、従来の媒体収納庫と比較して説明する。
【００８４】
（ａ）従来の媒体収納庫は、液体噴射ノズルを収納空間の上方に配置し、液体噴射ノズルから紙幣に対してインクを直接噴射させる構成になっていた。このような従来の媒体収納庫では、液体噴射ノズルが収納空間の上方に配置されている。そのため、液体噴射ノズルが収納空間の上方に配置される部材（例えば、アッパーガイド等）の配置可能な空間を制限している。
【００８５】
これに対して、本実施形態１に係る媒体収納庫１１は、液体噴射ノズル５１を収納空間ＳＰの上方から外れた位置に配置し、液体噴射ノズル５１から紙幣９に対してインクを直接噴射させずに、斜め下方向から上方配置部材の下面（ここでは、蓋部３２の下面３２ａ）に向けてインクを噴射させ、その下面からインクを落下させる構成になっている。このような媒体収納庫１１では、従来の媒体収納庫と異なり、液体噴射ノズル５１が収納空間ＳＰの上方に配置されていない。そのため、液体噴射ノズル５１が収納空間ＳＰの上方に配置される部材（例えば、アッパーガイド４１等）の配置可能な空間を制限することがない。したがって、媒体収納庫１１は、収納空間ＳＰの上方に比較的広い空間を確保することができ、従来の媒体収納庫よりも、収納空間ＳＰの上方に配置される部材（例えば、アッパーガイド等）の配置可能な空間を増大させることができる。
【００８６】
（ｂ）従来の媒体収納庫は、液体噴射ノズルから紙幣に対してインクを直接噴射させる構成になっている。このような従来の媒体収納庫は、紙幣を広範囲に汚損させるために、液体噴射ノズルを収納空間の上端から一定の距離以上に上方に離間させる必要がある。そのため、従来の媒体収納庫は、筺体の上下方向の高さ寸法を余分に設けなければならず、これに伴って、サイズを大型化させる必要があった。
【００８７】
これに対して、本実施形態１に係る媒体収納庫１１は、液体噴射ノズル５１から紙幣９に対してインクを直接噴射させる構成になっていない。このような媒体収納庫１１は、液体噴射ノズル５１を収納空間ＳＰ（具体的には、最大サイズ媒体収納空間ＳＰｍａｘ）の上端から一定の距離以上に上方に離間させる必要がない。そのため、媒体収納庫１１は、従来の媒体収納庫と異なり、筺体３１の上下方向の高さ寸法を余分に設ける必要がなく、サイズを大型化させる必要がない。したがって、媒体収納庫１１は、従来の媒体収納庫よりも、サイズを小型化することができる。
【００８８】
（ｃ）従来の媒体収納庫は、液体噴射ノズルを収納空間の上方に配置された構成になっている。その液体噴射ノズルは、各液体噴射孔から四方に広がるようにインクを噴射する。また、アッパーガイドは、比較的小さなサイズの紙幣が収納空間の内部に収納された場合に、比較的下方の位置に配置される。このような従来の媒体収納庫は、比較的小さなサイズの紙幣が収納空間の内部に収納された場合（つまり、アッパーガイドが比較的下方の位置に配置された場合）に、インクが四方に広がるように噴射されるととともに、アッパーガイドがインクの噴射方向上に割り込むことがあるため、インクがアッパーガイドの上面に当たってしまう可能性がある。この場合に、アッパーガイドが紙幣へのインクの付着を阻害してしまう。したがって、従来の媒体収納庫は、少ないインク量で紙幣を良好に汚損することができない可能性があった。なお、この課題は、液体噴射ノズルを２つのアッパーガイドの間に配置した構成にすれば、解決するようにも考えられる。しかしながら、このような構成は、他の部品や実装スペースの関係で、液体噴射ノズルが収納空間の上方に配置される部材（例えば、アッパーガイド等）の配置可能な空間を制限してしまったり（前記した（ａ）の項参照）、又は、筺体の上下方向の高さ寸法を余分に設ける必要があったりする（前記した（ｂ）の項参照）ため、好ましくない。
【００８９】
これに対して、本実施形態１に係る媒体収納庫１１は、液体噴射ノズル５１を収納空間ＳＰの上方に配置された構成になっておらず、蓋部３２の下面３２ａに対して右斜め下方向及び左斜め下方向からインクを噴射させる構成になっている。このような媒体収納庫１１は、右側からのインクの流れと左側からのインクの流れとを媒体収納庫１１のセンタＣＬ付近で衝突させて、インクの自重で蓋部３２の下面３２ａから収納空間ＳＰの内部にインクを落下させる。このような媒体収納庫１１は、比較的小さなサイズの紙幣９が収納空間ＳＰの内部に収納された場合で、かつ、アッパーガイド４１が比較的下方の位置に配置されたときであっても、従来の媒体収納庫と異なり、インクが四方に広がらないため、比較的大量のインクがアッパーガイド４１の上面に当たってしまうことを抑制することができる。したがって、媒体収納庫１１は、紙幣９に付着するインクの量を増加させることができ、従来の媒体収納庫よりも、少ないインク量で紙幣９を良好に汚損することができる。
【００９０】
（ｄ）本実施形態１に係る媒体収納庫１１のアッパーガイド４１には、複数の孔部４４（図５参照）が形成されている。そのため、媒体収納庫１１では、仮に、インクがアッパーガイド４１の上面側に落下した場合があったとしても、インクは、アッパーガイド４１の上面に溜まらずに、各孔部４４を通って、収納空間ＳＰの内部に落下する。そのため、媒体収納庫１１は、従来の媒体収納庫よりも、大量のインクを収納空間ＳＰに供給することができる。したがって、媒体収納庫１１は、これによっても、従来の媒体収納庫よりも、少ないインク量で紙幣９を良好に汚損することができる。
【００９１】
（ｅ）従来の媒体収納庫は、液体噴射ノズルが収納空間の上方に配置される部材（例えば、アッパーガイド等）の配置可能な空間を制限するため、金種毎に収納庫を開発する必要があった。そのため、従来の媒体収納庫のコストは、高騰し易かった。
【００９２】
これに対して、本実施形態１に係る媒体収納庫１１は、液体噴射ノズルが収納空間の上方に配置される部材（例えば、アッパーガイド等）の配置可能な空間を制限しないため、金種毎に収納庫を開発する必要がない。そのため、媒体収納庫１１は、従来の媒体収納庫よりも、コストを抑制することができる。また、媒体収納庫１１は、確実に紙幣９を汚損させることができるため、セキュリティを低下させることもない。
【００９３】
以上の通り、本実施形態１に係る媒体収納庫１１によれば、紙葉状の媒体（紙幣９）を収納する収納空間ＳＰの上方に配置される部材（例えば、アッパーガイド４１）の配置可能な空間を増大させることができる。
【００９４】
［実施形態２］
前記した実施形態１に係る媒体収納庫１１では、インクが噴射される蓋部３２の下面３２ａの形状が全体的に平坦な水平面になっている（特に、下面３２ａの少なくともインクが噴射される部分の形状が平坦な水平面になっている）。
【００９５】
これに対し、本実施形態２は、インクが噴射される蓋部３２の下面３２ａの形状（特に、下面３２ａの少なくともインクが噴射される部分の形状）が平坦な水平面と平坦な傾斜面とを備える構成になっている媒体収納庫１１１を提供する。
【００９６】
以下、図９及び図１０を参照して、本実施形態２に係る媒体収納庫１１１の構成につき説明する。図９は、媒体収納庫１１１の内部の構成を示す図である。図１０は、媒体収納庫１１１の主要部の構成を示す図である。図１０は、図９に示す領域Ｚ１の構成を拡大して示している。
【００９７】
図９に示すように、本実施形態２に係る媒体収納庫１１１は、実施形態１に係る媒体収納庫１１（図８参照）と比較すると、インクが噴射される蓋部３２の下面３２ａの形状（特に、下面３２ａの少なくともインクが噴射される部分の形状）が平坦な水平面３２ｂと平坦な傾斜面３２ｃとを備える構成になっている点で相違している。
【００９８】
傾斜面３２ｃは、液体噴射ノズル５１に近い側が遠い側よりも下方に下がる形状になっている。液体噴射ノズル５１は、傾斜面３２ｃに向けてインクを噴射する。液体噴射ノズル５１の噴射の中心方向ＤＩＬｑと傾斜面３２ｃとの内角θ１は、４５°以下に設定されている。また、液体噴射ノズル５１の噴射の中心方向ＤＩＬｑと水平面３２ｂとの内角θ２は、４５°よりも大きく設定されている。ここで、「中心方向ＤＩＬｑ」とは、噴射角度θＬｑ（図１０参照）で液体噴射孔６５から噴射されるインクの噴射方向の中心方向を意味している。
【００９９】
図１０に示すように、傾斜面３２ｃに対する液体噴射ノズル５１の配置位置（すなわち、傾斜面３２ｃから液体噴射ノズル５１までの距離）は、蓋部３２の下面３２ａにインクが当たる幅Ｙが傾斜面３２ｃの幅Ｘよりも小さくなるように、設定されている。
【０１００】
かかる構成において、本実施形態２に係る媒体収納庫１１１は、実施形態１に係る媒体収納庫１１と比較した場合に、以下のような作用効果を有している。
【０１０１】
例えば、実施形態１に係る媒体収納庫１１では、仮に、液体噴射ノズル５１と蓋部３２の下面３２ａの水平面との内角（図８に示す内角θ１）の値を４５°よりも大きく設定した場合に、蓋部３２の下面３２ａのインクが噴射される部分に対するインクの入射角度（すなわち、内角θ１）が４５°よりも大きくなる。そのため、センタＣＬの方向に流れるインク量が減少してしまう。したがって、媒体収納庫１１は、仮に、液体噴射ノズル５１と蓋部３２の下面３２ａの水平面との内角の値を４５°よりも大きく設定した場合に、紙幣９の汚損効率を低下させてしまう。
【０１０２】
これに対して、本実施形態２に係る媒体収納庫１１１では、液体噴射ノズル５１と蓋部３２の下面３２ａの水平面３２ｂとの内角（図９に示す内角θ２）の値を４５°よりも大きく設定しているものの、蓋部３２の下面３２ａのインクが噴射される部分（傾斜面３２ｃ）に対するインクの入射角度（すなわち、内角θ１）が４５°以下に維持されている。そのため、センタＣＬの方向に流れるインク量が減少しない。したがって、媒体収納庫１１１１は、液体噴射ノズル５１と蓋部３２の下面３２ａの水平面３２ｂとの内角の値を４５°よりも大きく設定しているものの、紙幣９の汚損効率を低下させることがない。
【０１０３】
このような媒体収納庫１１１は、実施形態１に係る媒体収納庫１１よりも、蓋部３２の下面３２ａの水平面３２ｂに対して液体噴射ノズル５１を大きく傾けて配置させることができる。そのため、媒体収納庫１１１は、液体噴射ノズル５１の配置構成の自由度を向上させることができる。
【０１０４】
以上の通り、本実施形態２に係る媒体収納庫１１１によれば、実施形態１に係る媒体収納庫１１と同様に、紙葉状の媒体（紙幣９）を収納する収納空間ＳＰの上方に配置される部材（例えば、アッパーガイド４１）の配置可能な空間を増大させることができる。
しかも、媒体収納庫１１１によれば、実施形態１に係る媒体収納庫１１に比べて、蓋部３２の下面３２ａの水平面３２ｂに対して液体噴射ノズル５１を大きく傾けて配置させることができるため、液体噴射ノズル５１の配置構成の自由度を向上させることができる。
【０１０５】
なお、本発明は、前記した実施形態に限定されることなく、本発明の要旨を逸脱しない範囲で種々の変更や変形を行うことができる。
【０１０６】
例えば、前記した実施形態は、本発明の要旨を分かり易く説明するために詳細に説明したものである。そのため、本発明は、必ずしも説明した全ての構成を備えるものに限定されるものではない。また、本発明は、実施形態の構成に他の構成を追加したり、置き換えたりすることができる。また、本発明は、実施形態の構成から一部の構成を削除することができる。
【０１０７】
例えば、本発明は、キャッシュディスペンサ（ＣＤ）や現金自動預け払い機（ＡＴＭ）等の現金取扱装置だけでなく、発券機や、その他の装置に利用することができる。
【０１０８】
（第１変形例）
また、例えば、アッパーガイド４１は、図１１に示す媒体収納庫１１１Ａのアッパーガイド４１Ａのように変形することができる。図１１は、第１変形例に係る媒体収納庫１１１Ａの構成図である。図１１に示すように、媒体収納庫１１１Ａのアッパーガイド４１Ａの非規制面４３から側面４３ａに亘る部分には、アッパーガイド４１の上面（図示せず）側に貫通する複数の開口部４６が形成されている。そのため、アッパーガイド４１Ａの上面側に溜まったインクは、孔部４４だけでなく、開口部４６を通って、収納空間ＳＰの内部に落下する。なお、開口部４６は、非規制面４３から側面４３ａに亘る部分ではなく、側面４３ａだけに形成されるようにしてもよい。
【０１０９】
このような媒体収納庫１１１Ａは、実施形態１に係る媒体収納庫１１よりも、短時間で、大量のインクを収納空間ＳＰに供給することができる。したがって、媒体収納庫１１１Ａは、実施形態１に係る媒体収納庫１１よりも、短時間で、紙幣９を良好に汚損することができる。
【０１１０】
（第２変形例）
また、例えば、前記した実施形態１に係る媒体収納庫１１は、インクを蓋部３２の下面３２ａに向けて噴射する構成になっている。つまり、前記した実施形態１に係る媒体収納庫１１は、筺体３１の上部材である蓋部３２を、インクを噴射する「上方配置部材」として用いる構成になっている（実施形態２に係る媒体収納庫１１１も同様）。しかしながら、媒体収納庫１１は、例えば、図１２に示す媒体収納庫１１１Ｂのように、蓋部３２以外の部材を「上方配置部材」として用いる構成に変形することができる。図１２は、第２変形例に係る媒体収納庫１１１Ｂの構成図である。
【０１１１】
図１２に示すように、媒体収納庫１１１Ｂは、蓋部３２と収納空間ＳＰとの間に介装部材７１を備える構成になっている。そして、媒体収納庫１１１Ｂは、インクを介装部材７１の下面７１ａに向けて噴射する構成になっている。
【０１１２】
このような媒体収納庫１１１Ｂは、例えば、インクを弾く性質を有する材料で介装部材７１を構成した場合に、インクを弾く性質を有する材料で蓋部３２を構成しなくてもよくなる。そのため、媒体収納庫１１１Ｂは、蓋部３２の設計の自由度を向上させることや、蓋部３２を製造するためのコストを低減させることができる。
【０１１３】
（第３変形例）
また、例えば、媒体収納庫１１は、例えば、図１３に示す媒体収納庫１１１Ｃのように、筺体３１の上部材である蓋部３２の下面３２ａ側に様々な部材を配置し、蓋部３２を交換することによって、それらの部材を一括して交換する構成に変形することができる。図１３は、第３変形例に係る媒体収納庫１１１Ｃの構成図である。
【０１１４】
図１３に示すように、媒体収納庫１１１Ｃの筺体３１は、上部材である蓋部３２と下部材である容器部３３とに分離可能な構成になっている。蓋部３２の下面３２ａ側には、例えば、電池８１や、基板８２、基板８２を覆う基板カバー８３、液体噴射機構５０等の部材が取り付けられている。
【０１１５】
電池８１及び液体噴射機構５０は、蓋部３２の下面３２ａの収納空間ＳＰの上方から外れた位置に配置されている。一方、基板８２及び基板カバー８３は、蓋部３２の下面３２ａの収納空間ＳＰの上方に配置されている。電池８１は、基板８２や液体噴射機構５０に電力を供給している。
【０１１６】
基板８２及び基板カバー８３は、好ましくは、２つの液体噴射ノズル５１Ｒ，５１Ｌから噴射されたインクが媒体収納庫１１１ＣのセンタＣＬ付近で落下するように、媒体収納庫１１１ＣのセンタＣＬ付近に配置されているとよい。
【０１１７】
なお、蓋部３２の下面３２ａには、下面３２ａと基板カバー８３との間を密封するリブ８５が形成されている。そして、基板カバー８３の露出面には、傾斜面８４が形成されている。また、リブ８５の露出面には、傾斜面８６が形成されている。媒体収納庫１１１Ｃは、これらの傾斜面８４，８６によって、インクの落下を促すことができる。そのため、媒体収納庫１１１Ｃは、少ないインク量で紙幣９を良好に汚損することができる。
【０１１８】
このような媒体収納庫１１１Ｃは、蓋部３２を交換するだけで、これらの部材を一括して交換することができる。また、媒体収納庫１１１Ｃは、蓋部３２を交換するだけで、例えば、液体噴射機構５０を有する構成と液体噴射機構５０を有していない構成と容易に変更することができる。
【０１１９】
また、媒体収納庫１１１Ｃは、蓋部３２を交換するだけで、運用に応じて仕様の異なる制御プログラムが実装された基板８２を用いることができる。そのため、媒体収納庫１１１Ｃは、新しい機能を追加して搭載することができる。
【０１２０】
なお、基板８２によって実現される機能としては、例えば、液体噴射機構５０を作動させる制御機能を挙げることができる。この制御機能では、例えば、基板８２に実装された図示せぬ制御部が単体で判断することによって液体噴射機構５０を作動させるようにしてもよいし、又は、基板８２に実装された図示せぬ制御部が媒体取扱装置１側から送信される作動指示に従って液体噴射機構５０を作動させるようにしてもよい。
【０１２１】
また、基板８２によって実現される機能としては、例えば、媒体収納庫１１１Ｃの内部や外部の温度、インクの噴射角度等の事項の異常を検知する異常検知機能を挙げることができる。
【０１２２】
また、基板８２によって実現される機能としては、例えば、媒体取扱装置１との間で無線通信を行う無線通信機能を挙げることができる。なお、基板８２側から媒体取扱装置１側に送信される通信内容としては、例えば、媒体収納庫１１１Ｃに収納されている紙幣９の金種情報や枚数情報、異常を検知した場合の検知情報、液体噴射機構５０を作動させた場合の作動情報等を挙げることができる。また、媒体取扱装置１側から基板８２側に送信される通信内容としては、例えば、出金指示や、液体噴射機構５０の作動指示等を挙げることができる。
【符号の説明】
【０１２３】
１    媒体取扱装置
２    収納ユニット
３    束搬送ユニット
４    搬送機構
５ａ    上ベルト
５ｂ    下ベルト
６    ラッセル板
７    可動搬送ガイド
８    搬送路
９    媒体（紙幣）
１１（１１ａ，１１ｂ，１１ｃ，１１ｄ），１１１，１１１Ａ，１１１Ｂ，１１１Ｃ    媒体収納庫
１２    鑑別部
１３    集積部
１３ｏｐ，１６ｏｐ，４６    開口部
１４    ステージ
１５    リジェクト収納庫
１６    取り込み収納庫
１７    出金口
１８    シャッタ
２１    出金ルート
２２    リジェクトルート
２３    集積ルート
２４    放出ルート
２９    取り込みルート
３１    筺体
３２    蓋部（上部材、上方配置部材）
３２ａ，７１ａ    下面
３２ｂ    水平面
３２ｃ，８４，８６    傾斜面
３３    容器部（下部材）
３４    取っ手
３５    鍵穴
３６    回動支点
３７    押板
４１    アッパーガイド
４２    平坦面（規制面）
４３    平坦面（非規制面）
４３ａ    側面
４４    孔部
４５    面取り加工部
４７    スタッド（調整部材）
４８（４８Ｒ，４８Ｌ）    サイドガイド
４９    ロアガイド
５０    液体噴射機構
５１（５１Ｒ，５１Ｌ）    液体噴射ノズル
５２    液体タンク
５３    収納部
５４    液体押出板
５５    圧力発生部（ガス発生器）
５６    ルートブロック
５７    噴射弁
６１    胴体部
６２    流入部
６３    中空部
６４    潰し加工部
６５    液体噴射孔
６６    固定面
６７    固定孔
７１    介装部材（上方配置部材）
８１    電池
８２    基板
８３    基板カバー
８５    リブ
ＤＩＬｑ    噴射の中心方向
Ｈ９ｍａｘ    最大サイズ媒体短手幅
Ｈ９ｍｉｎ    最小サイズ媒体短手幅
ＳＰ    収納空間
ＳＰｍａｘ    最大サイズ媒体収納空間
ＳＰｍｉｎ    最小サイズ媒体収納空間
Ｗ９ｍａｘ    最大サイズ媒体長手幅
Ｗ９ｍｉｎ    最小サイズ媒体長手幅
θ１，θ２    内角
θ６５    角度
θＬｑ    噴射角度
【図１】
0006390464.tif 000002
【図２】
0006390464.tif 000003
【図３】
0006390464.tif 000004
【図４】
0006390464.tif 000005
【図５】
0006390464.tif 000006
【図６】
0006390464.tif 000007
【図７】
0006390464.tif 000008
【図８】
0006390464.tif 000009
【図９】
0006390464.tif 000010
【図１０】
0006390464.tif 000011
【図１１】
0006390464.tif 000012
【図１２】
0006390464.tif 000013
【図１３】
0006390464.tif 000014